(57)【要約】【課題】  段付き天上における下天井下地の施工誤差を吸収して簡単且つ正確に間仕切りすることができる。【解決手段】  床３の所定位置に立設した間仕切り壁パネル４の上端部を上天井下地１の側端部の下面に連結する。下天井下地２の側端が間仕切り壁パネル４の側面上部との間に隙間５が形成されるように下天井下地２の側端を間仕切り壁パネル４の側面より離れる方向に後退させた構成とする。隙間５にスペーサ部材６を介在させた状態でスペーサ部材６を介して下天井下地２と間仕切り壁パネル４とを連結する。上天井下地１の下面に上天井材７を取付けて該上天井材７の側端を間仕切り壁パネル４の一側面に当接する。下天井下地２の下面に下天井材８を取付けると共に該下天井材８の側端部を下天井下地２の側端部よりも突出させて該突出先端を間仕切り壁パネル４の他側面に当接する。【選択図】        図１
2006233651.tif 000002
【特許請求の範囲】
【請求項１】
上天井下地の側方に上天井下地より下方に位置するように下天井下地を形成し、床の所定位置に立設した間仕切り壁パネルの上端部を上天井下地の側端部の下面に連結し、上記下天井下地の側端が上記床の所定位置に立設した間仕切り壁パネルの側面上部との間に隙間が形成されるように下天井下地の側端を間仕切り壁パネルの側面より離れる方向に後退させた構成とし、上記隙間にスペーサ部材を介在させた状態でスペーサ部材を介して下天井下地と間仕切り壁パネルとを連結し、上天井下地の下面に上天井材を取付けて該上天井材の側端を間仕切り壁パネルの一側面に当接し、下天井下地の下面に下天井材を取付けると共に該下天井材の側端部を下天井下地の側端部よりも突出させて該突出先端を間仕切り壁パネルの他側面に当接して成ることを特徴とする間仕切り構造。
【請求項２】
上天井下地の側方に上天井下地より下方に位置するように下天井下地を形成し、該下天井下地を複数の並設した下野縁により構成し、下野縁の長手方向と直交する下振れ止め桟を並設する複数の下野縁の長手方向の一端部にわたって架設すると共に該下振れ止め桟を下振れ止め桟の側面の下野縁の長手方向の一端部からの突出位置が調整自在となるように取付け、床上に立設した間仕切り壁パネルの上端部を上天井下地の側端部の下面に連結し、上記下振れ止め桟の下野縁の一端部からの突出位置が最も短い状態で該下振れ止め桟と上記床の所定位置に立設した間仕切り壁パネルの側面上部との間に隙間が形成されるように下野縁の側端を間仕切り壁パネルの側面より離れる方向に後退させた構成とすると共に、下振れ止め桟の側面を間仕切り壁パネルの上部側面に当接した状態で下野縁と下振れ止め桟とを連結し且つ下振れ止め桟と間仕切り壁パネルとを連結し、上天井下地の下面に上天井材を取付けて該上天井材の側端を間仕切り壁パネルの一側面に当接し、下天井下地の下面に下天井材を取付けると共に該下天井材の側端部を下天井下地の側端部よりも突出させて該突出先端を間仕切り壁パネルの他側面に当接して成ることを特徴とする間仕切り構造。
【発明の詳細な説明】
【技術分野】
【０００１】
本発明は、段付き天井の境界部分に間仕切り壁パネルを立設して構成する間仕切り構造に関するものである。
【背景技術】
【０００２】
従来から集合住宅やオフィスビル等において間仕切り壁を形成するには、まず天井スラブから吊り下げた吊り具に天井下地を吊下げるという天井下地工事を行い、次に、床の設計で決められた所定位置に間仕切り壁パネルを立設すると共に間仕切り壁パネルの上端部を天井下地の下面部に連結し、その後、天井下地の下面の間仕切り壁パネルでし切られた両側にそれぞれ天井材を取付けて間仕切りした室（廊下を含む）を形成するようにしている。（特許文献１参照）
ところが、近年、洗面室、トイレ等の水回り室や廊下の天井裏にダクト等を通すようにすることが行われ、このため、洗面室、トイレ等の水回り室や廊下の天井を居間や寝室等の普通の居室の天井よりも低くし、間仕切り壁パネルで間仕切りした２室の天井が段違いとなった段付き天井を形成するようにしている。
【０００３】
このような段付き天井においては、まず、天井下地として天井高さが高い方の上天井下地と、天井高さが低い方の下天井下地とを形成し、次に、間仕切り壁パネルを床に立設するのであるが、下天井下地の間仕切り壁パネル側となる一端部の位置は空中でその位置決めをしなければならないため、設計図通りの位置に位置決めするのがきわめて困難である。一方、間仕切り壁パネルは床に墨打ち等により求めた基準に基づいて設計図通りの位置に簡単且つ正確に立設できるが、上記のように下天井下地の一端部の位置を正確に位置決めするのが難しいので、施工誤差により下天井下地の一端部が設計で決められた間仕切り壁パネルの側面位置を越えて突出して位置する場合があり、このような場合には下天井下地の一端部が邪魔になって床に墨打ち等により求めた基準に基づいて設計図通りの位置に間仕切り壁パネルを立設できないという事態が生じてしまい。このため、設計図の位置からずれた位置に間仕切り壁パネルを立設してしまう場合があり、間仕切りしようとする２室の大きさが設計と異なるように間仕切りされてしまうという問題があり、同時に間仕切りした２室の内装材の寸法が一方側では設計より僅かに長く、他方側では設計より僅かに短くなり、内装仕上げ作業も煩雑となると共に内装の収まりも悪くなる恐れがある。
【０００４】
また、上天井下地は、後で立設する間仕切り壁パネルの上端部を連結する必要があるので、間仕切り壁パネルの立設よりも前に施工する必要がある。そこで、上天井下地を施工後、間仕切り壁パネルを立設し、その後、下天井下地を施工することが考えられるが、この場合、天井下地工事を上天井下地の施工と、下天井下地とに時間的に分離して施工することになり、施工性が悪くなるという問題があり、しかも、下天井下地の施工の際に、下天井下地を形成するための野縁等が間仕切り壁パネルの側面の石膏ボード等に当たって面板を破損する恐れがあって好ましくない。
【特許文献１】特開２００３−２７６３８号公報
【発明の開示】
【発明が解決しようとする課題】
【０００５】
本発明は上記の従来の問題点に鑑みて発明したものであって、段付き天井の境界部分に間仕切壁パネルを立設して間仕切りするに当たり、簡単な構成で下天井下地の施工誤差を吸収して簡単且つ正確に間仕切りすることができる間仕切り構造を提供することを課題とするものである。
【課題を解決するための手段】
【０００６】
上記課題を解決するために本発明に係る間仕切り構造は、上天井下地１の側方に上天井下地１より下方に位置するように下天井下地２を形成し、床３の所定位置に立設した間仕切り壁パネル４の上端部を上天井下地１の側端部の下面に連結し、上記下天井下地２の側端が上記床３の所定位置に立設した間仕切り壁パネル４の側面上部との間に隙間５が形成されるように下天井下地２の側端を間仕切り壁パネル４の側面より離れる方向に後退させた構成とし、上記隙間５にスペーサ部材６を介在させた状態でスペーサ部材６を介して下天井下地２と間仕切り壁パネル４とを連結し、上天井下地１の下面に上天井材７を取付けて該上天井材７の側端を間仕切り壁パネル４の一側面に当接し、下天井下地２の下面に下天井材８を取付けると共に該下天井材８の側端部を下天井下地２の側端部よりも突出させて該突出先端を間仕切り壁パネル４の他側面に当接して成ることを特徴とするものである。
【０００７】
これにより、上天井下地１、下天井下地２を先に施工した後に、床３の所定位置に墨線等を引いて出した基準位置に基づいて設計通りの正確な位置に間仕切り壁パネル４を立設する場合、下天井下地２の上天井下地１側の端部の位置が正確に位置決め施工してなくて施工誤差が生じていても、床３の基準位置を基準にして正確な位置に立設される間仕切り壁パネル４の側面と下天井下地２の側端との間にあらかじめ隙間５が形成されるように下天井下地２の側端の設計上の位置を間仕切り壁パネル４の側面の設計上の位置よりも離れる方向に後退した位置としてあるので、施工誤差による下天井下地２の側端の位置変動を上記あらかじめ形成してある隙間５により吸収し、間仕切り壁パネル４を床３の所定位置に正確に立設することが可能となり、また、上記隙間５は実際の現場で生じる隙間５の寸法に応じてスペーサ部材６を介在させてスペーサ部材６を介して下天井下地２と間仕切り壁パネル４とを連結するので、間仕切り壁パネル４は上天井下地１と下天井下地２の双方に連結されて、連結が強固となる。しかも、下天井下地２の下面に下天井材８を取付けると共に該下天井材８の側端部を下天井下地２の側端部よりも突出させて該突出先端を間仕切り壁パネル４の他側面に当接するので、上記隙間５が下天井下地２により隠されるだけでなく、スペーサ部材６を介して間仕切り壁パネル４と下天井下地２とが連結されて、下天井材８の端部の間仕切り壁パネル４の側面への当接部分に隙間が生じたりせず、また、間仕切り壁パネル４と上天井下地１とが連結してあるので、下天井材８の端部の間仕切り壁パネル４の側面への当接部分に隙間が生じたりしない。
【０００８】
また、上天井下地１の側方に上天井下地１より下方に位置するように下天井下地２を形成し、該下天井下地２を複数の並設した下野縁９により構成し、下野縁の長手方向と直交する下振れ止め桟１０を並設する複数の下野縁９の長手方向の一端部に亘って架設すると共に該下振れ止め桟１０を該下振れ止め桟１０の側面の下野縁９の長手方向の一端部からの突出位置が調整自在となるように取付け、床３上に立設した間仕切り壁パネル４の上端部を上天井下地１の側端部の下面に連結し、上記下振れ止め桟１０の下野縁９の一端部からの突出位置が最も短い状態で該下振れ止め桟１０と上記床３の所定位置に立設した間仕切り壁パネル４の側面上部との間に隙間５が形成されるように下野縁９の側端を間仕切り壁パネル４の側面より離れる方向に後退させた構成とすると共に、下振れ止め桟１０の側面を間仕切り壁パネル４の上部側面に当接した状態で下野縁９と下振れ止め桟１０とを連結し且つ下振れ止め桟１０と間仕切り壁パネル４とを連結し、上天井下地１の下面に上天井材７を取付けて該上天井材７の側端を間仕切り壁パネル４の一側面に当接し、下天井下地２の下面に下天井材８を取付けると共に該下天井材８の側端部を下天井下地２の側端部よりも突出させて該突出先端を間仕切り壁パネル４の他側面に当接して成ることを特徴とすることも好ましい。
【０００９】
このような構成とすることで、上天井下地１、下天井下地２を先に施工した後に、床３の所定位置に墨線等を引いて出した基準位置に基づいて設計通りの正確な位置に間仕切り壁パネル４を立設する場合、下天井下地２の上天井下地１側の端部の位置が正確に位置決め施工してなくて施工誤差が生じていても、床３の基準位置を基準にして正確な位置に立設される間仕切り壁パネル４の側面と下天井下地２の下野縁９の端部との間にあらかじめ隙間５が形成されるように下野縁９の側端の設計上の位置を間仕切り壁パネル４の側面の設計上の位置よりも離れる方向に後退した位置としてあるので、施工誤差による下野縁９の側端の位置変動を上記あらかじめ形成してある隙間５により吸収し、間仕切り壁パネル４を床３の所定位置に正確に立設することが可能となり、また、上記隙間５は実際の現場で生じる隙間５の寸法に応じて下振れ止め桟１０を側面が間仕切り壁パネル４の側面に当接するようにずらし、この状態で、下振れ止め桟１０を下野縁９に対して動かないように固定すると共に下振れ止め桟１０を間仕切り壁パネル４に固定することで、間仕切り壁パネル４は上天井下地１と下天井下地２の双方に強固に連結される。しかも、下天井下地２の下面に下天井材８を取付けると共に該下天井材８の側端部を下天井下地２の側端部よりも突出させて該突出先端を間仕切り壁パネル４の他側面に当接するので、上記隙間５が下天井材８により隠されるだけでなく、下振れ止め桟１０を介して間仕切り壁パネル４と下野縁９とが連結され、下天井材８の端部の間仕切り壁パネル４の側面への当接部分に隙間が生じたりせず、また、間仕切り壁パネル４と上天井下地１とが連結してあるので、下天井材８の端部の間仕切り壁パネル４の側面への当接部分に隙間が生じたりしない。更に、下振れ止め桟１０により複数の下野縁９を相互に連結して下野縁９の振れ止めができるものである。
【発明の効果】
【００１０】
本発明は、段付き天井において、下天井材の側端の位置が施工誤差で多少ずれても床の所定位置に正確に間仕切り壁パネルを立設することが可能となり、しかも、間仕切り壁パネルは上天井下地、下天井下地の両方に連結されて強固に連結され、更に、上天井材、下天井材と間仕切り壁パネルの側面との間に隙間が生じたりせず、収まりが良くなる。
【発明を実施するための最良の形態】
【００１１】
以下、本発明を添付図面に示す実施形態に基いて説明する。
【００１２】
本発明は段付き天井の境界部分に間仕切り壁パネル４を立設して天井高さの高い部屋空間Ａと天井高さの低い部屋空間Ｂとに間仕切るようになっている。天井高さの高い部屋空間Ａとは集合住宅などにおいては例えば、居間、寝室、子供部屋等の通常の部屋空間のことであり、天井高さの低い部屋空間Ｂとは洗面室、トイレ等の水回り室や廊下等の部屋空間のことである。ちなみに洗面室、トイレ等の水回り室や廊下等の部屋空間の天井裏には排気ダクトＣ等を配設する必要があるため天井高さを低くする必要がある。
【００１３】
このように天井高さの高い部屋空間Ａと天井高さの低い部屋空間Ｂとに間仕切りするにあたっては、まず、図２に示すように建物の躯体である天井スラブ１１の下方に天井高さの高い部屋空間Ａの天井下地となる上天井下地１を施工すると共に、隣の天井高さの低い部屋空間Ｂの天井下地となる下天井下地２を施工する。
【００１４】
図２に示すように、上天井下地１は、互いに平行な複数列の上野縁１２と、上副野縁１３と、上振れ止め桟１５とで構成してある。
【００１５】
上記の上天井下地１は現場で施工されるものであり、天井スラブ１１から垂設した吊りボルト１６に上副野縁１３を吊り具１７により吊下げ、次に、上副野縁１３の下面側に上副野縁１３に対して直交するように上野縁１２を配置してクリップ金具１４により連結し、次に、複数の上野縁１２の長手方向の端部間に上振れ止め桟１５を架設することで上天井下地１を構成する。
【００１６】
図２に示すように下天井下地２は、互いに平行な複数列の下野縁９と、下副野縁１８と、下振れ止め桟１０とで構成してある。
【００１７】
上記の下天井下地２は現場で施工されるものであり、天井スラブ１１から垂設した吊りボルト１６に下副野縁１８を吊り具１７により吊下げ、次に、下副野縁１８の下面側に下副野縁１８に対して直交するように下野縁９を配置してクリップ金具１４により連結し、次に、複数の下野縁９の長手方向の端部間に下振れ止め桟１０を架設することで下天井下地２を構成する。上記下天井下地２は、上天井下地１の側方で且つ下方に位置するように形成するものである。
【００１８】
ここで、図１乃至図４に示す実施形態では上天井下地１の上野縁１２の長手方向と下天井下地２の下野縁９の長手方向と平行で且つその長手方向が段付き天井の境界部分に立設する後述の間仕切り壁パネル４と直交する方向となっている。
【００１９】
上天井下地１は、本発明の間仕切り構造を設計する際、該上天井下地１の間仕切り壁パネル４側の端部（つまり下天井下地２側の端部）の上振れ止め桟１５を含む部分が、設計上の間仕切り壁パネル４の正しい立設位置を越えて図３に示すα寸法だけ余分に突出するように長く設計してある。このα寸法は、現場における予測される上天井下地１の施工誤差の寸法をα１とし、上振れ止め桟１５の長手方向と直交する横巾寸法α２とすると、α≧α１＋α２にあらかじめ設定してある。
【００２０】
また、下天井下地２は、本発明の間仕切り構造を設計する際、該下天井下地２の間仕切り壁パネル４側の端部（つまり上天井下地１側の端部）の下振れ止め桟１０の側面が、設計上の間仕切り壁パネル４の正しい立設位置における間仕切り壁パネル４の側面（下天井下地２側の側面）との間に隙間５が形成されるように図３に示すβ寸法だけ壁パネル４の側面から離れる方向に後退させた長さに設計してある。この隙間５の巾寸法であるβ寸法は、現場における予測される下天井下地２の施工誤差の寸法をβ１とすると、β≧β１に予め設定してある。
【００２１】
したがって、上天井下地１、下天井下地２を現場施工で施工する。この場合、上天井下地１の端部及び下天井下地２の端部の位置決めがし難く、施工誤差が生じやすいが、上天井下地１の上振れ止め桟１５は設計上の間仕切り壁パネル４の正しい立設位置を越えて下天井下地２側に突出して位置し、また、下天井下地２の下振れ止め桟１０は設計上の間仕切り壁パネル４の正しい立設位置における間仕切り壁パネル４の側面との間に隙間５が生じるようになる。
【００２２】
間仕切り壁パネル４は上記のようにして上天井下地１、下天井下地２を施工した後に床３に立設する。この場合、床３上面の墨打ち等により設計上決められた間仕切り壁パネル４の立設位置を出し、このようにして床３上に出した間仕切り壁パネル４の立設のための基準線となる墨出し線等を基準にして間仕切り壁パネル４を立設するものである。図１に示す実施形態では床３上に出した間仕切り壁パネル４の立設のための基準線となる墨出し線等を基準にして間仕切り壁パネル４を立設すべき設計通りの位置に床ランナー１９を敷設して固着し、更に、この床ランナー１９上に位置決めして間仕切り壁パネル４を立設固着することで間仕切り壁パネル４を床３の設計通りの所定位置に正確に立設するようにしている。もちろん床ランナー１９を施工することなく直接床３に間仕切り壁パネル４を立設してもよい。
【００２３】
上記のように床３上の設計通りの正確な位置に間仕切り壁パネル４を立設した間仕切り壁パネル４の上端部を上天井下地１の側端部の下面に当接し、間仕切り壁パネル４と上天井下地１の上野縁１２とを固着具等で固着することで連結する。間仕切り壁パネル４の上端面の上天井下地１への当接部分は上野縁１２の長手方向の端部よりも少し内側に引き込んだ部位の下面であり、上野縁１２の長手方向の端部間に架設した上振れ止め桟１５は間仕切り壁パネル４よりも外側方にずれて位置している。
【００２４】
また、床３上の設計通りの正確な位置に間仕切り壁パネル４を立設した間仕切り壁パネル４の側面と下天井下地２の側端との間には隙間５が形成されるので、下天井下地２を施工した後に間仕切り壁パネル４を床３上の設計通りの正確な位置に立設すると言えども、下天井下地２の側端が邪魔になって間仕切り壁パネル４を床３上の設計通りの正確な位置に立設できないというような現象が生じない。
【００２５】
上記間仕切り壁パネル４の側面と下天井下地２の側端との間に形成される隙間５にはスペーサ部材６を介在させ、該スペーサ部材６を介して下天井下地２と間仕切り壁パネル４とを固着具で固着して連結することで、間仕切り壁パネル４を上天井下地１だけでなく下天井下地２にも連結することができて、強固な連結ができる。
【００２６】
間仕切り壁パネル４はパネル枠４ａの両面に面板４ｂを取着して構成してあり、面板４ｂ間の空間が配線用空間４ｃとなっており、少なくともパネル枠４ａの上枠には通線用孔４ｄが形成してある。上記通線用孔４ｄは間仕切り壁パネル４を立設した状態で上野縁１２と交差しない位置（上野縁１２の真下を避けた位置）に形成する。
【００２７】
間仕切り壁パネル４内に天井裏空間から配線２０を通す場合は、上記のように間仕切り壁パネル４を立設した後に、図３に示すように天井裏空間から通線用孔４ｄを通して間仕切り壁パネル４の配線用空間４ｃに通線する。配線用空間４ｃ内に通線された配線２０はパネル枠４ａの他の箇所に設けた他の通線用孔から床下空間２１や隣接する間仕切り壁パネル４内に通線したり、あるいは、間仕切り壁パネル４の面板４ｂの一部に形成したコンセントやスイッチ等の配線器具を取付けるための配線器具取付け用孔（図示せず）から室内に導出して配線器具に接続し、その後に配線２０を接続した配線器具を上記面板４ｂに形成した配線器具取付け用孔部分に取付けたりする。
【００２８】
この場合、間仕切り壁パネル４の上端面は長手方向に対して上野縁１２が交差するのみで、上野縁１２と交差しない箇所に通線用孔４ｄを形成してあり、間仕切り壁パネル４の長手方向と平行な上振れ止め桟１５は間仕切り壁パネル４の上端面から外側方にずれて位置しているので、上記配線２０を通線用孔４ｄから間仕切り壁パネル４内の配線用空間４ｃに導入する場合の邪魔にならない。
【００２９】
上記のように間仕切り壁パネル４を立設して上天井下地１、下天井下地２に連結した後、図１、図４に示すように、上天井下地１の下面に上天井材７を取付けて該上天井材７の側端を間仕切り壁パネル４の一側面に当接し、下天井下地２の下面に下天井材８を取付けると共に該下天井材８の側端部を下天井下地２の側端部よりも突出させて該突出先端を間仕切り壁パネル４の他側面に当接することで、天井高さの高い部屋空間Ａの天井と天井高さの低い部屋空間Ｂの天井とを形成する。
【００３０】
このようにして段付き天井の境界部分を境にして天井高さの高い部屋空間Ａと天井高さの低い部屋空間Ｂとに間仕切りするものである。
【００３１】
なお、添付図面に示す実施形態において床３は床スラブ２２上にスタッド２３を立設して該スタッド２３に床パネル３ａ、捨張合板３ｂを載設することで床３を構成するものであり、床３の捨張合板３ｂ上に間仕切り壁パネル４を立設する。捨張合板３ｂ上には間仕切り壁パネル４の立設後に床仕上げ材３ｃを敷設する。また、図中２４は幅木であり、この幅木２４は床仕上げ材３ｃの施工後に床仕上げ材３ｃと間仕切り壁パネル４とのなすコーナ部分に取付ける。
【００３２】
図５乃至図８には本発明の他の実施形態が示してある。
【００３３】
本実施形態においては、下天井下地２の構造が下記の点で前述の実施形態のものと異なっているのみで他の構成は同じであるので、異なる点を中心に説明する。
【００３４】
上天井下地１の施工時に同時に施工する下天井下地２は、互いに平行な複数列の下野縁９と、下副野縁１８と、下振れ止め桟１０とで構成してある。
【００３５】
上記の下天井下地２は現場で施工されるものであり、天井スラブ１１から垂設した吊りボルト１６に下副野縁１８を吊り具１７により吊下げ、次に、下副野縁１８の下面側に下副野縁１８に対して直交するように下野縁９を配置してクリップ金具１４により連結し、次に、複数の下野縁９の長手方向の端部間に直角に断面コ字状をした下振れ止め桟１０を架設する。この場合、断面コ字状をした下振れ止め桟１０は下野縁９の長手方向の端部に下野縁９の長手方向と平行な方向にスライド自在に嵌め込むものであり、間仕切り壁パネル４を立設する施工を行うまでは上記下振れ止め桟１０をスライドさせて図６に示すように下野縁９の端部に最も深く嵌め込んで下振れ止め桟１０の下野縁９の一端部からの突出位置が最も短い状態とする。
【００３６】
上記下天井下地２は、本発明の間仕切り構造を設計する際、該下天井下地２の間仕切り壁パネル４側の端部（つまり上天井下地１側の端部）の下振れ止め桟１０の側面を上記のように下野縁９側に最も深く嵌め込んで下振れ止め桟１０の下野縁９の一端部からの突出位置が最も短い状態で、下振れ止め桟１０の側面と設計上の間仕切り壁パネル４の正しい立設位置における間仕切り壁パネル４の側面（下天井下地２側の側面）との間に隙間５が形成されるように図７に示すβ寸法だけ壁パネル４の側面から離れる方向に後退させた長さに設計してある。この隙間５の巾寸法であるβ寸法は、現場における予測される下天井下地２の施工誤差の寸法をβ１とすると、β≧β１に予め設定してある。
【００３７】
したがって、下天井下地２を現場施工で施工した場合に施工誤差が生じても、下天井下地２の下振れ止め桟１０を下野縁９に最も深く嵌め込んだ状態では下振れ止め桟１０の側面は設計上の間仕切り壁パネル４の正しい立設位置における間仕切り壁パネル４の側面との間に隙間５が生じるようになる。
【００３８】
したがって、前述の実施形態と同様に、床３上の設計通りの正確な位置に間仕切り壁パネル４を立設した場合、間仕切り壁パネル４の側面と下天井下地２の側端である下振れ止め桟１０の側面との間には隙間５が形成されるので、下天井下地２を施工した後に間仕切り壁パネル４を床３上の設計通りの正確な位置に立設すると言えども、下天井下地２の側端が邪魔になって間仕切り壁パネル４を床３上の設計通りの正確な位置に立設できないというような現象が生じない。
【００３９】
上記床３上に立設した間仕切り壁パネル４の上端面を上天井下地１に前述と同様に連結するのであるが、一方、断面コ字状をした下振れ止め桟１０は下野縁９の長手方向にスライドさせて下野縁９からの突出長さを長くし、図８に示すように下振れ止め桟１０の側面を間仕切り壁パネル４の側面に当接する。この状態で下振れ止め桟１０を下野縁９に固着具（図示せず）により本固着して連結すると共に、下振れ止め桟１０と間仕切り壁パネル４とを固着具（図示せず）により連結することで、下天井下地２と間仕切り壁パネル４とを連結する。その後、図８に示すように上天井材７、下天井材８を前述の実施形態と同様に施工する。
【００４０】
他の構成は前述の実施形態と同様であるので省略する。
【図面の簡単な説明】
【００４１】
【図１】本発明の一部省略断面図である。
【図２】同上の上天井下地及び下天井下地を施工した状態の断面図である。
【図３】同上の間仕切り壁パネルを立設した状態を示す断面図である。
【図４】同上の上天井材、下天井材を施工した状態を示す断面図である。
【図５】本発明の他の実施形態の一部省略断面図である。
【図６】同上の上天井下地及び下天井下地を施工した状態の断面図である。
【図７】同上の間仕切り壁パネルを立設した状態を示す断面図である。
【図８】同上の上天井材、下天井材を施工した状態を示す断面図である。
【符号の説明】
【００４２】
１  上天井下地
２  下天井下地
３  床
４  間仕切り壁パネル
５  隙間
６  スペーサ部材
７  上天井材
８  下天井材
９  下野縁
１０  下振れ止め桟
【図１】
2006233651.tif 000003
【図２】
2006233651.tif 000004
【図３】
2006233651.tif 000005
【図４】
2006233651.tif 000006
【図５】
2006233651.tif 000007
【図６】
2006233651.tif 000008
【図７】
2006233651.tif 000009
【図８】
2006233651.tif 000010